(57)【要約】【課題】  不要共振を発生させることなく小型化を図ることのできる対物レンズ駆動装置、および光ヘッド装置を提供すること。【解決手段】  対物レンズ駆動装置１において、フォーカシング・トラッキング駆動機構８は、レンズホルダ３の長さ方向Ｌにおける中央領域から、レンズ保持部３ａが形成されている一方側端部３１の方に配置され、チルト駆動機構１２は、レンズホルダ３のレンズ保持部３ａとは反対側の他方側端部３２の方に配置され、フォーカシング・トラッキング駆動機構８が配置されている領域とチルト駆動機構１２が配置されている領域との間には、ヨークから切り起こされたバックヨーク６ｃが位置している。【選択図】      図１
2005235355.tif 000002
【特許請求の範囲】
【請求項１】
対物レンズと、該対物レンズを保持するレンズ保持部を一方側端部に備えたレンズホルダと、該レンズホルダを複数本のワイヤで支持する固定側部材と、前記レンズホルダをフォーカシング方向及びトラッキング方向に駆動するフォーカシング・トラッキング駆動機構と、前記レンズホルダをチルト方向に駆動するチルト駆動機構とを備える対物レンズ駆動装置において、
前記フォーカシング・トラッキング駆動機構と前記チルト駆動機構は、前記レンズホルダの前記一方側端部から他方側端部に向かう長さ方向で分離して配置されていることを特徴とする対物レンズ駆動装置。
【請求項２】
請求項１において、前記フォーカシング・トラッキング駆動機構が配置されている領域と前記チルト駆動機構が配置されている領域との間に前記チルト駆動機構のバックヨークが位置し、当該バックヨークを挟むように、前記フォーカシング・トラッキング駆動機構と前記チルト駆動機構が配置されていることを特徴とする対物レンズ駆動装置。
【請求項３】
請求項１または２において、前記フォーカシング・トラッキング駆動機構は、前記チルト駆動機構が配置されている側にトラッキング駆動機構が配置され、該トラッキング駆動機構に対して前記チルト駆動機構と反対側にフォーカシング駆動機構が配置されていることを特徴とする対物レンズ駆動装置。
【請求項４】
請求項３において、前記フォーカシング・トラッキング駆動機構は、１つのフォーカシング駆動コイルと、該フォーカシング駆動コイルの内側に配置された１つのフォーカシング駆動マグネットと、前記フォーカシング駆動コイルに対して前記レンズホルダの長さ方向で隣接するトラッキング駆動コイルと、該トラッキング駆動コイルに対して前記レンズホルダの長さ方向で対向する１つのトラッキング駆動マグネットとを備え、
前記チルト駆動機構は、前記トラッキング駆動コイルに対して前記レンズホルダの長さ方向で対向する１つのチルト駆動コイルと、該チルト駆動コイルに対して前記レンズホルダの長さ方向で対向する１つのチルト駆動マグネットとを備えていることを特徴とする対物レンズ駆動装置。
【請求項５】
請求項４において、前記チルト駆動コイルは、前記チルト駆動マグネットとの対向面が縦辺部と横辺部とを有する矩形状となるように巻回され、
前記チルト駆動マグネットは、前記チルト駆動コイルとの対向面に、前記縦辺部及び横辺部に平行な分極線により４極に分極着磁された４つの着磁部を有するとともに、当該４つの着磁部には前記チルト駆動コイルの巻回方向に沿ってＮ極およびＳ極が交互に着磁され、
前記縦辺部及び横辺部は、前記４つの着磁部のうち２つの着磁部に跨って対向するように配置されていることを特徴とする対物レンズ駆動装置。
【請求項６】
請求項４において、前記チルト駆動コイルでは、縦辺部と横辺部とを有する矩形状となるように巻回された２つのコイルが横方向に配置され、かつ、当該２つのコイルには、互いに逆周りの方向に給電され、
前記チルト駆動マグネットは、当該２つのコイルとの対向面に、前記横辺部に平行な分極線により２極に分極着磁された２つの着磁部を有していることを特徴とする対物レンズ駆動装置。
【請求項７】
請求項１ないし６のいずれかにおいて、前記チルト駆動機構は、前記レンズホルダの前記レンズ保持部とは反対側の他方側端部の方に配置されていることを特徴とする対物レンズ駆動装置。
【請求項８】
請求項７において、前記チルト駆動機構に用いられるチルト駆動コイルおよびチルト駆動マグネットのうち、前記レンズホルダ上に搭載される磁気的部材は、前記対物レンズを保持した前記レンズホルダに対するカウンタウエイトとして機能していることを特徴とする対物レンズ駆動装置。
【請求項９】
請求項１ないし８のいずれかに記載の対物レンズ駆動装置を備えることを特徴とする光ヘッド装置。
【発明の詳細な説明】
【技術分野】
【０００１】
本発明は、いわゆるワイヤサスペンションタイプの対物レンズ駆動装置、及びそれを備えた光ヘッド装置に関するものである。
【背景技術】
【０００２】
ＣＤやＤＶＤなどの光記録ディスクの記録、再生等に用いられている光ヘッド装置としては、対物レンズと、対物レンズを保持したレンズホルダと、レンズホルダを移動可能に複数本のワイヤで支持する固定側部材と、レンズホルダをフォーカシング方向及びトラッキング方向に駆動するフォーカシング・トラッキング駆動機構と、レンズホルダをチルト方向に駆動するチルト駆動機構とを有するいわゆるワイヤサスペンションタイプの対物レンズ駆動装置を備える光ヘッド装置が知られている。
【０００３】
かかる光ヘッド装置に用いられる対物レンズ駆動装置においては、チルト駆動機構として、１つのチルト駆動コイルと１対（２つ）のチルト駆動マグネットとから構成されるチルト駆動機構が用いられている（例えば、特許文献１、２参照）。
【０００４】
また、チルト駆動機構としては、１対のチルト駆動コイルと１対のチルト駆動マグネットとから構成されるチルト駆動機構も用いられている（例えば、特許文献３、４参照。）。
【特許文献１】特開２００３−３０３４３２号公報
【特許文献２】特開２００３−２７２２０１号公報
【特許文献３】特開２００３−１９６８７１号公報
【特許文献４】特開２００３−８５７９８号公報
【発明の開示】
【発明が解決しようとする課題】
【０００５】
近年、光ヘッド装置では、ノートパソコンなどに搭載するために装置全体の小型化が求められており、そのため、光ヘッド装置を構成する対物レンズ駆動装置の小型化も要求されている。
【０００６】
しかしながら、従来の対物レンズ駆動装置において、各駆動機構を近接配置して対物レンズ駆動装置の小型化を図った場合、フォーカシング駆動機構、トラッキング駆動機構、およびチルト駆動機構が相互に磁気的な影響を及ぼし合ってしまい、不要共振などが発生するという問題点がある。また、フォーカシング駆動機構、トラッキング駆動機構、およびチルト駆動機構を構成する磁気的部材を小型化して対物レンズ駆動装置の小型化を図った場合、感度が大幅に低下するという問題点がある。さらに、対物レンズ駆動装置を小型化した場合、各駆動機構のコイルで発生する熱によって対物レンズに収差の悪化が発生するという問題点がある。
【０００７】
以上の問題点に鑑みて、本発明の課題は、不要共振を発生させることなく小型化を図ることのできる対物レンズ駆動装置、および光ヘッド装置を提供することにある。
【０００８】
また、本発明の課題は、駆動機構を構成する磁気的部材を小型化した際に発生する感度低下を防止可能な対物レンズ駆動装置、および光ヘッド装置を提供することにある。
【０００９】
さらに、本発明の課題は、各駆動機構のコイルで発生する熱の対物レンズへの影響を抑えることのできる対物レンズ駆動装置、および光ヘッド装置を提供することにある。
【課題を解決するための手段】
【００１０】
上記の課題を解決するために、本発明では、対物レンズと、該対物レンズを保持するレンズ保持部を一方側端部に備えたレンズホルダと、該レンズホルダを複数本のワイヤで支持する固定側部材と、前記レンズホルダをフォーカシング方向及びトラッキング方向に駆動するフォーカシング・トラッキング駆動機構と、前記レンズホルダをチルト方向に駆動するチルト駆動機構とを備える対物レンズ駆動装置において、前記フォーカシング・トラッキング駆動機構と前記チルト駆動機構は、前記レンズホルダの前記一方側端部から他方側端部に向かう長さ方向で分離して配置されていることを特徴とする。
【００１１】
本発明において、前記フォーカシング・トラッキング駆動機構が配置されている領域と前記チルト駆動機構が配置されている領域との間に前記チルト駆動機構のバックヨークが位置し、当該バックヨークを挟むように、前記フォーカシング・トラッキング駆動機構と前記チルト駆動機構が配置されていることが好ましい。
【００１２】
本発明において、前記フォーカシング・トラッキング駆動機構は、前記チルト駆動機構が配置されている側にトラッキング駆動機構が配置され、該トラッキング駆動機構に対して前記チルト駆動機構と反対側にフォーカシング駆動機構が配置されていることが好ましい。このように構成すると、チルト駆動機構の影響を受けやすいフォーカシング駆動機構をチルト駆動機構から空間的に離すことができるので、不要共振の発生をより確実に防止できる。
【００１３】
本発明において、前記フォーカシング・トラッキング駆動機構は、例えば、１つのフォーカシング駆動コイルと、該フォーカシング駆動コイルの内側に配置された１つのフォーカシング駆動マグネット、前記フォーカシング駆動コイルに対して前記レンズホルダの長さ方向で隣接するトラッキング駆動コイルと、該トラッキング駆動コイルに対して前記レンズホルダの長さ方向で対向する１つのトラッキング駆動マグネットとを備え、前記チルト駆動機構は、前記トラッキング駆動コイルに対して前記レンズホルダの長さ方向で対向する１つのチルト駆動コイルと、該チルト駆動コイルに対して前記レンズホルダの長さ方向で対向する１つのチルト駆動マグネットとを備えている。このように構成すると、駆動機構を構成する磁気的部材の数を減らした分、各磁気的部材を小型化する必要がないので、感度低下を防止することができる。
【００１４】
この場合、前記チルト駆動コイルは、前記チルト駆動マグネットとの対向面が縦辺部と横辺部とを有する矩形状となるように巻回され、前記チルト駆動マグネットは、前記チルト駆動コイルとの対向面に、前記縦辺部及び横辺部に平行な分極線により４極に分極着磁された４つの着磁部を有するとともに、当該４つの着磁部には前記チルト駆動コイルの巻回方向に沿ってＮ極およびＳ極が交互に着磁され、前記縦辺部及び横辺部は、前記４つの着磁部のうち２つの着磁部に跨って対向するように配置されていることが好ましい。
【００１５】
本発明において、前記チルト駆動コイルでは、縦辺部と横辺部とを有する矩形状となるように巻回された２つのコイルが横方向に配置され、かつ、当該２つのコイルには、互いに逆周りの方向に給電され、前記チルト駆動マグネットは、当該２つのコイルとの対向面に、前記横辺部に平行な分極線により２極に分極着磁された２つの着磁部を有している構成であってもよい。
【００１６】
本発明において、前記チルト駆動機構は、前記レンズホルダの前記レンズ保持部とは反対側の他方側端部の方に配置されていることが好ましい。このように構成すると、コイルでの発熱が最も大きなチルト駆動機構を対物レンズから空間的に離すことができる。従って、各駆動機構のコイルで発生する熱によって対物レンズで収差の悪化が発生するのを防止することができる。
【００１７】
この場合、前記チルト駆動機構に用いられるチルト駆動コイルおよびチルト駆動マグネットのうち、前記レンズホルダ上に搭載される磁気的部材については、前記対物レンズを保持した前記レンズホルダに対するカウンタウエイトとして機能させることが好ましい。
【００１８】
本発明における対物レンズ駆動装置は、光ヘッド装置に用いることができる。
【発明の効果】
【００１９】
本発明では、フォーカシング駆動機構、トラッキング駆動機構、およびチルト駆動機構のうち、チルト駆動機構は、フォーカシング駆動機構に対して磁気的な影響を及ぼして不要共振を発生させやすいことから、フォーカシング駆動機構およびトラッキング駆動機構については、フォーカシング・トラッキング駆動機構として、レンズホルダの長さ方向でチルト駆動機構とは空間的に分離して配置してある。このため、チルト駆動機構とフォーカシング駆動機構との磁気的な干渉を防止できる。従って、各駆動機構を近接させても、不要共振が発生しない。
【発明を実施するための最良の形態】
【００２０】
以下、本発明を図面に示す実施の形態に基づいて説明する。
【００２１】
［全体構成］
図１は、本発明の一実施形態に係る対物レンズ駆動装置を示す斜視図である。
【００２２】
図１において、本発明を適用した対物レンズ駆動装置１は、所定の光学系を備えてＣＤあるいはＤＶＤなどの光記録ディスクに対する情報記録、情報再生を行う光ヘッド装置に用いられるものである。光ヘッド装置の装置フレームなどの構成については周知のものを用いることができるので、その説明を省略するが、対物レンズ駆動装置１は、対物レンズ２と、対物レンズ２を保持するレンズホルダ３と、レンズホルダ３をフォーカシング方向（矢印Ｆｏで示す方向）、トラッキング方向（矢印Ｔｒで示す方向）、及びチルト方向（矢印Ｔｉで示す方向）に移動可能に６本のワイヤ４で支持する固定側部材７と、レンズホルダ３をフォーカシング方向Ｆｏ及びトラッキング方向Ｔｒに駆動するフォーカシング・トラッキング駆動機構８と、レンズホルダ３をチルト方向Ｔｉに駆動するチルト駆動機構１２とを備えている。
【００２３】
固定側部材７は、レンズホルダ３を先端側で支持するワイヤ４と、ワイヤ４をその基端側において支持するホルダ支持部材５と、レンズホルダ３の下方位置で本体フレームを構成するとともにトラッキング・フォーカシング駆動機構８及びチルト駆動機構１２の一部を構成するヨーク(本体部分は図示せず)とからなる。ホルダ支持部材５は、ヨークに接着などの固定手段により固定されている。
【００２４】
レンズホルダ３は、四角形筒状に形成された胴部３ｃと、この胴部３ｃに対して連接する環状のレンズ保持部３ａとを備えており、レンズ保持部３ａに対物レンズ２が保持されている。また、レンズホルダ３は、トラッキング方向両側でフォーカシング方向に３段で配置された６本のワイヤ４で支持されている。ここで、６本のワイヤ４はそれぞれ、後述するフォーカシング駆動コイル９、トラッキング駆動コイル１０、及びチルト駆動コイル１３への給電ワイヤとしても用いられている。従って、ワイヤ４の先端側は、レンズホルダ３のトラッキング方向両側に固着されている中継基板１９に半田付けされて固定されている。一方、ワイヤ４の基端側は、ホルダ支持部材５の背面に取り付けられたプリント基板１６の配線パターンに半田付けされている。また、プリント基板１６には、ワイヤ４への給電を行う給電用のフレキシブル基板１８が半田付けされて固定されている。
【００２５】
（レイアウトの全体構成）
対物レンズ駆動装置１において、レンズホルダ３のレンズ保持部３ａが形成されている側を一方側端部３１とし、その反対を他方側端部（３２ワイヤ４の基端側）とし、一方側端部３１から他方側端部３２に向かう方向を長さ方向Ｌとしたとき、本形態の対物レンズ駆動装置１では、フォーカシング・トラッキング駆動機構８と、チルト駆動機構は１２、レンズホルダ３の長さ方向Ｌで空間的に分離して配置されている。すなわち、フォーカシング・トラッキング駆動機構８は、レンズホルダ３の長さ方向Ｌにおける中央領域から、レンズ保持部３ａが形成されている一方側端部３１の方に配置され、チルト駆動機構１２は、レンズホルダ３のレンズ保持部３ａとは反対側の他方側端部３２の方に配置されている。しかも、フォーカシング・トラッキング駆動機構８が配置されている領域とチルト駆動機構１２が配置されている領域との間には、ヨークから切り起こされたチルト駆動機構１２のバックヨーク６ｃが位置し、このバックヨーク６ｃを挟むように、フォーカシング・トラッキング駆動機構８とチルト駆動機構１２が配置されている。また、フォーカシング・トラッキング駆動機構８は、チルト駆動機構１２が配置されている側にトラッキング駆動機構８１が配置され、トラッキング駆動機構８１に対してチルト駆動機構１２と反対側にフォーカシング駆動機構８２が配置されている。
【００２６】
（レイアウトの具体的構成）
本形態において、フォーカシング・トラッキング駆動機構８は、レンズホルダ３の胴部３ｃの内側に接着固定された１つのフォーカシング駆動コイル９と、このフォーカシング駆動コイル９の内側に配置された１つのフォーカシング駆動マグネット１７と、フォーカシング駆動コイル１７に対してレンズホルダ３の長さ方向Ｌで隣接する２つのトラッキング駆動コイル１０と、これらのトラッキング駆動コイル１０に対してレンズホルダ３の長さ方向Ｌで対向する１つのトラッキング駆動マグネット１６とを備えており、レンズホルダ３の長さ方向Ｌにおいて、一方側端部３１の方から他方側端部３２に向けて、フォーカシング駆動コイル９、トラッキング駆動コイル１０、およびトラッキング駆動マグネット１６がこの順に配置されている。
【００２７】
フォーカシング駆動コイル９は矩形状に巻回され、その外周側で３辺がレンズホルダ３の胴部３ｃの内周側に接着等により固定されている。本形態では、フォーカシング駆動コイル９に、アルミニウムを芯材にしてその周囲を銅で被覆したクラッド線が用いられ、その軽量化を図ってある。トラッキング駆動コイル１０は２つの平面コイルからなり、フォーカシング駆動コイル９の上記３辺を除いた残りの１辺の外面に貼付けられている。トラッキング駆動マグネット１６は、２つのトラッキング駆動コイル１０の内側の縦辺に対向するように固定側部材７に保持されている。また、フォーカシング駆動マグネット１７は、フォーカシング駆動コイル９の１辺に対向し、かつ、トラッキング駆動マグネット１０との間に２つのトラッキング駆動コイル１０の内側の縦辺を挟むような位置で固定側部材７に保持されている。なお、フォーカシング駆動マグネット１７に対して、レンズホルダ３の一方側端部３１の方には、フォーカシング駆動コイル９との間に、ヨークから切り起こされた保持部６ａが配置されている。
【００２８】
チルト駆動機構１３は、トラッキング駆動コイル１０に対してレンズホルダ３の長さ方向Ｌにおける他方側端部３２の方で対向するバックヨーク６ｃと、このバックヨーク６ｃを挟んでトラッキング駆動コイル１０に対してレンズホルダ３の長さ方向Ｌにおける他方側端部３２の方で対向する１つのチルト駆動コイル１０と、チルト駆動コイル１０に対してレンズホルダ３の長さ方向における他方側端部３２の方で対向する１つのチルト駆動マグネット１３とを備えている。
【００２９】
ここで、チルト駆動コイル１３は、チルト駆動マグネット１４との対向面が縦辺部１３ａと横辺部１３ｂとを有する矩形状になるよう巻回された平面コイルであり、レンズホルダ３の他方側端部３２における胴部３ｃの外面に貼付けられている。
【００３０】
チルト駆動マグネット１４は、図示縦方向を短辺側とする扁平な直方体形状に形成されており、対向面１４ａがチルト駆動コイル１３に対向するようにヨークから切り起こされた保持部６ｄに固定され、固定側部材７に保持されている。
【００３１】
（チルト駆動コイルとチルト駆動マグネットの配置関係）
図２（Ａ）、（Ｂ）はそれぞれ、図１に示す対物レンズ駆動装置に用いたチルト駆動マグネットの正面図及び側面図である。図３は、本形態の対物レンズ駆動装置におけるチルト駆動コイル側からみたチルト駆動コイルとチルト駆動マグネットとの配置関係を示す説明図である。
【００３２】
図２（Ａ）、（Ｂ）および図３に示すように、チルト駆動コイル１３及びチルト駆動マグネット１４は、チルト駆動コイル１３の縦辺部１３ａとチルト駆動マグネット１４の縦方向の短辺部１４ｂとが略平行となるように対向配置されている。
【００３３】
ここで、チルト駆動マグネット１４は、チルト駆動コイル１３の縦辺部１３ａと平行に形成される分極線１４ｃ、及び横辺部１３ｂと平行に形成される分極線１４ｄにより４極に分極されて着磁された四つの着磁部を有している。すなわち、チルト駆動マグネット１４は、第１の着磁部１４１と第２の着磁部１４２と第３の着磁部１４３と第４の着磁部１４４との４極に分極されて着磁されている。また、第１の着磁部１４１から第４の着磁部１４４には、チルト駆動コイル１３の巻回方向Ｘに沿ってＮ極、Ｓ極が交互に着磁されている。例えば、第１の着磁部１４１がＳ極に、第２の着磁部１４２がＮ極に、第３の着磁部１４３がＳ極に、第４の着磁部１４４がＮ極に着磁されている。
【００３４】
さらに、チルト駆動コイル１３の縦辺部１３ａ及び横辺部１３ｂは、第１の着磁部１４１から第４の着磁部１４４のうち、２つの着磁部に跨った状態でチルト駆動マグネット１４に対向配置されている。すなわち、図２において、例えば図示右側の縦辺部１３ａは、Ｓ極に着磁された第１の着磁部１４１とＮ極に着磁された第４の着磁部１４４とに跨った状態で対向配置されている。また、図示上側の横辺部１３ｂは、Ｓ極に着磁された第１の着磁部１４１とＮ極に着磁された第２の着磁部１４２とに跨った状態で対向配置されている。同様に、図示左側の縦辺部１３ａは、第２の着磁部１４２と第３の着磁部１４３とに跨った状態で対向配置され、図示下側の横辺部１３ｂは、第３の着磁部１４３と第４の着磁部１４４とに跨った状態で対向配置されている。
【００３５】
従って、チルト駆動コイル１３に対して反時計方向に電流が供給されると、第１の着磁部１４１に対向する縦辺部１３ａ、及び第２の着磁部１４２に対向する縦辺部１３ａには図示左方への力が発生し、第３の着磁部１４３に対向する縦辺部１３ａ、及び第４の着磁部１４４に対向する縦辺部１３ａには図示右方への力が発生する。
【００３６】
また、第１の着磁部１４１に対向する横辺部１３ｂ、及び第４の着磁部１４４に対向する横辺部１３ｂには図示下方への力が発生し、第２の着磁部１４２に対向する横辺部１３ｂ、及び第３の着磁部１４３に対向する横辺部１３ｂには図示上方への力が発生する。これらの力がバランスして、レンズホルダ３は図示時計方向にチルト駆動される。
【００３７】
これに対して、チルト駆動コイル１３に対して時計方向に電流が供給されると、縦辺部１３ａ及び横辺部１３ｂには上記と反対の方向への力が発生し、レンズホルダ３は図示反時計方向にチルト駆動される。
【００３８】
（本実施形態の効果）
以上説明したように、本形態における対物レンズ駆動装置１では、、フォーカシング駆動機構８２、トラッキング駆動機構８１、およびチルト駆動機構１２のうち、チルト駆動機構１２は、フォーカシング駆動機構８２に対して磁気的な影響を及ぼして不要共振を発生させやすいことから、フォーカシング駆動機構８２およびトラッキング駆動機構８１については、フォーカシング・トラッキング駆動機構８として、レンズホルダ３の長さ方向Ｌでチルト駆動機構１２とは空間的に分離して配置してある。このため、チルト駆動機構１２とフォーカシング駆動機構８２との磁気的な干渉を防止できる。従って、各駆動機構を近接させても、不要共振が発生しない。
【００３９】
また、チルト駆動機構１２は、レンズホルダ３のレンズ保持部３ａとは反対側の他方側端部３２の方に配置されているため、駆動コイルでの発熱が最も大きなチルト駆動機構１２を対物レンズ２から空間的に離すことができる。すなわち、チルト駆動コイル１３は常時通電されるため、３種類のコイルの中で最も発熱するので、チルト駆動コイル１３を対物レンズ２から空間的に離してある。従って、コイルで発生する熱によって対物レンズ２で収差の悪化が発生するのを防止することができる。
【００４０】
また、チルト駆動マグネット１４は、チルト駆動コイル１３の縦辺部１３ａと平行に形成される分極線１４ｃ及び横辺部１３ｂと平行に形成される分極線１４ｄにより４極に分極されて着磁された第１の着磁部１４１から第４の着磁部１４４を有するとともに、第１の着磁部１４１から第４の着磁部１４４には、チルト駆動コイル１３の巻回方向Ｘに沿ってＮ極、Ｓ極が交互に着磁されている。さらに、チルト駆動コイル１３の縦辺部１３ａ及び横辺部１３ｂは第１の着磁部１４１から第４の着磁部１４４のうち二つの着磁部に跨った状態でチルト駆動マグネット１４に対向配置されている。従って、１対のチルト駆動マグネットを設置することなく、１つのみのチルト駆動マグネット１４を用いてチルト駆動機構１２を実現することができるなど、駆動マグネットや駆動コイルの数を最小限に抑えている。それ故、駆動マグネットや駆動コイルを小型化する必要がないので、感度低下を防止することができる。
【００４１】
また、平面コイルからなるチルト駆動コイル１３と扁平なマグネットからなるチルト駆動マグネット１４によりチルト駆動機構１２を構成し、ワイヤサスペンションタイプの対物レンズ駆動装置１においてデッドスペースであるレンズホルダ３とホルダ支持部材５の間にチルト駆動マグネット１４を配置しているので、チルト駆動機構１２を搭載しても対物レンズ駆動装置１の小型化を図ることができる。
【００４２】
本形態では、フォーカシング・トラッキング駆動機構８がレンズホルダ３の略中央部に配置されている。従って、フォーカシング・トラッキング駆動機構８の重心位置と対物レンズ駆動装置１の重心位置を一致させることが可能になる。。また、フォーカシング駆動コイル９にアルミニウムクラッド線が用いてその軽量化を図って、重量バランスを向上させてある。さらに、対物レンズ２が、フォーカシング方向Ｆｏ及びトラッキング方向Ｔｒの双方に直交する方向におけるレンズホルダ３の一方端側から張り出したレンズ保持部３ａに保持されている一方、チルト駆動機構１２がレンズホルダ３の他方端側に配置されている。従って、チルト駆動機構１２を構成するチルト駆動コイル１３をカウンタウエイトとして用いることが可能となり、対物レンズ駆動装置１のバランスを適切に保つことができる。その結果、安定したフォーカシング制御、トラッキング制御が行われることになる
さらに、チルト駆動機構１２は、ワイヤ４の基端側に配置されているため、チルト方向Ｔｉへの駆動時におけるチルト駆動コイル１３とチルト駆動マグネット１４との位置ずれを小さくすることができる。そのため、適切なチルト駆動が可能になる。
【００４３】
また、本形態では、チルト駆動マグネット１４に比べて軽量なチルト駆動コイル１３がレンズホルダ３に搭載されているので、レンズホルダ３の重量の増加を最小限に抑えることができる。この結果、対物レンズ駆動装置１の特性の低下を抑制できる。
【００４４】
［他の実施の形態］
上述した実施形態は、本発明の好適な形態の１例ではあるが、これに限定されるものではなく本発明の要旨を変更しない範囲において種々変形可能である。例えば、上述した実施形態においては、チルト駆動マグネット１４は一体に形成されたものを４極に分極着磁しているが、単極着磁されたマグネットを４つ組み合わせて１体にすることで４極に着磁されたチルト駆動マグネット１４を構成しても良い。また、単極着磁されたマグネットを４つ、近接させて、対物レンズ駆動装置１の１箇所に配置してもよい。
【００４５】
また、図４に示すように、チルト駆動コイル１３では、縦辺部と横辺部とを有する矩形状となるように巻回された２つのチルト駆動コイル１３１、１３２が横方向に配置され、かつ、２つのチルト駆動コイル１３１、１３２に対して、互いに逆周りの方向に給電される構成であってもよい。この場合、チルト駆動マグネット１３は、２つのチルト駆動コイル１３１、１３２との対向面に、横辺部に平行な分極線１４ｄにより２極に分極着磁された２つの着磁部が形成される。
【００４６】
また、上述した実施形態では、チルト駆動コイル１３をレンズホルダ３の側に取り付けたが、ヨーク側（固定側部材７の側）に取り付けてチルト駆動マグネット１４と対向配置しても良い。この場合、チルト駆動マグネット１４がレンズホルダ３へ取り付けられるためレンズホルダ３のバランスを取ることは難しくなるが、レンズホルダ３への給電が不要となり、ワイヤ４を４本で構成することが可能となる。従って、装置を簡素化し製品コストを引き下げることができる。
【００４７】
また、上述した実施形態のチルト駆動機構１２をレンズホルダ３のラジアル方向の両端位置に配置すれば、タンジェンシャル方向のチルト駆動が可能になる。例えば、レンズホルダ３のレンズ保持部３ａの両側面部を利用して、チルト駆動機構１２を構成すれば、タンジェンシャル方向のチルト駆動が可能である。
【産業上の利用可能性】
【００４８】
本発明では、フォーカシング駆動機構、トラッキング駆動機構、およびチルト駆動機構のうち、チルト駆動機構は、フォーカシング駆動機構に対して磁気的な影響を及ぼして不要共振を発生させやすいことから、フォーカシング駆動機構およびトラッキング駆動機構については、フォーカシング・トラッキング駆動機構として、レンズホルダの長さ方向でチルト駆動機構とは空間的に分離して配置してある。このため、チルト駆動機構とフォーカシング駆動機構との磁気的な干渉を防止できる。従って、各駆動機構を近接させても、不要共振が発生しない。
【図面の簡単な説明】
【００４９】
【図１】本発明の実施形態に係る対物レンズ駆動装置を示す斜視図である。
【図２】（Ａ）、（Ｂ）はそれぞれ図１に示す対物レンズ駆動装置に用いたチルト駆動マグネットの正面図及び側面図である。
【図３】図１に示す対物レンズ駆動装置に用いたチルト駆動コイル側からみたチルト駆動コイルとチルト駆動マグネットとの配置関係を示す説明図である。
【図４】本発明の別の実施形態に係る対物レンズ駆動装置に用いたチルト駆動コイルおよびチルト駆動マグネットの説明図である。
【符号の説明】
【００５０】
１  対物レンズ駆動装置
２  対物レンズ
３  レンズホルダ
４  ワイヤ
６ｃ  バックヨーク
７  固定側部材
８  フォーカシング・トラッキング駆動機構
９  フォーカシング駆動コイル
１０  トラッキング駆動コイル
１２  チルト駆動機構
１３、１３１、１３２  チルト駆動コイル
１４  チルト駆動マグネット
１６  トラッキング駆動マグネット
１７  フォーカシング駆動マグネット
８１  トラッキング駆動機構
８２  フォーカシング駆動機構
【図１】
2005235355.tif 000003
【図２】
2005235355.tif 000004
【図３】
2005235355.tif 000005
【図４】
2005235355.tif 000006